(57)【要約】  付け爪において継続的に表示内容が変化する表示を行う。付け爪（１）に磁界共鳴方式で電力を受電するための受電素子（１４）としてコイル（１４１）を設ける。環状体（２０１）の内部に、送電素子（２３）として環状体（２０１）の環と同軸状に巻き回したコイル（２３１）を設けた送電装置（２）を、ブレスレットとして手首に装着し指を自然に曲げた姿勢にあるときに、送電素子（２３）として備えたコイルと付け爪１に受電素子（１４）として備えたコイルとが対向し、効率的に電力が送電装置（２）から付け爪（１）に給電される。そして、付け爪（１）において給電された電力を用いてフレキシブルディスプレイ（１１）に動画表示またはスライドショー表示を行う。
2018043158.tif 000002
【特許請求の範囲】
【請求項１】
付け爪と、送電装置とを備えた付け爪システムであって、  前記付け爪は、  ディスプレイと、  ワイヤレス電力伝送によって前記送電装置から電力を受電する受電手段と、  前記受電手段で受信した電力を用いて前記ディスプレイに画像を表示する表示手段とを有し、  前記送電装置は、  手首または腕に装着可能な本体部と、  前記本体部の外周面に配置された太陽電池と、  前記太陽電池で発電された電力を、ワイヤレス電力伝送によって前記付け爪に送電する送電手段とを有することを特徴とする付け爪システム。
【請求項２】
付け爪と、送電装置とを備えた付け爪システムであって、  前記付け爪は、  ディスプレイと、  ワイヤレス電力伝送によって前記送電装置から電力を受電する受電手段と、  前記受電手段で受信した電力を用いて前記ディスプレイに画像を表示する表示手段とを有し、  前記送電装置は、  手首または腕に装着可能な本体部と、  前記本体部に収容された生体発電装置と、  前記生体発電装置で発電された電力を、ワイヤレス電力伝送によって前記付け爪に送電する送電手段とを有することを特徴とする付け爪システム。
【請求項３】
請求項２記載の付け爪システムであって、  前記生体発電装置は、体温と外気温の温度差を電力に変換する体温発電装置であることを特徴とする付け爪システム。
【請求項４】
請求項１、２または３記載の付け爪システムであって、  前記付け爪の受電手段は、磁界共鳴方式のワイヤレス電力伝送によって前記送電装置から電力を受電する受電用コイルを含み、  前記送電装置の本体部は、環状の形状を有し、  前記送電装置の送電手段は、前記本体部と一体に設けられた、磁界共鳴方式のワイヤレス電力伝送によって前記付け爪に電力を送電する送電用コイルを含み、かつ、  前記受電用コイルと送電用コイルの共振周波数は等しく、  前記送電用コイルは、前記環状の本体部と同軸状に巻き回されたコイルであることを特徴とする付け爪システム。
【請求項５】
請求項１、２または３記載の付け爪システムであって、  前記付け爪の受電手段は、超音波を電力に変換する受電用トランデューサを含み、  前記送電装置の送電手段は、前記本体部と一体に設けられた、電力を超音波に変換し、前記本体部を前記手首または腕に装着したときに手が位置することとなる方向に出力する送電用トランデューサを含むことを特徴とする付け爪システム。
【請求項６】
請求項１、２または３記載の付け爪システムであって、  前記付け爪の受電手段は、前記付け爪の装着時に人体に接する受電電極を備えると共に、当該電極に流れる電流による電力を受電し、  前記送電装置の送電手段は、前記本体部が装着された人体に接する送電電極と、前記送電電極から人体に電流を流す電流出力手段とを有することを特徴とする付け爪システム。
【請求項７】
請求項１、２または３記載の付け爪システムであって、  前記付け爪の受電手段は、前記付け爪の装着時に人体から容量結合を介して検出した交流の電位信号を変換して得られる電力を受電し、  前記送電装置の送電手段は、前記本体部が装着された人体に容量結合を介して交流の電位信号を印加することを特徴とする付け爪システム。
【請求項８】
付け爪と、送電装置とを備えた付け爪システムであって、  前記付け爪は、  ディスプレイと、  磁界共鳴方式のワイヤレス電力伝送によって前記送電装置から電力を受電する受電用コイルと、  前記受電用コイルで受信した電力を蓄積するバッテリと、  前記バッテリに蓄積された電力を用いて前記ディスプレイに画像を表示する表示手段とを有し、  前記送電装置は、  手首または腕に装着可能な環状の本体部と、  前記本体部と一体に設けられた、磁界共鳴方式のワイヤレス電力伝送によって前記付け爪に電力を送電する送電用コイルとを有し、  前記受電用コイルと送電用コイルの共振周波数は等しく、  前記送電用コイルは、前記環状の本体部と同軸状に巻き回されたコイルであることを特徴とする付け爪システム。
【請求項９】
付け爪と、送電装置とを備えた付け爪システムであって、  前記付け爪は、  ディスプレイと、  超音波を電力に変換する受電用トランデューサと、  前記受電用トランデューサが変換した電力を蓄積するバッテリと、  前記バッテリに蓄積された電力を用いて前記ディスプレイに画像を表示する表示手段とを有し、  前記送電装置は、  手首または腕に装着可能な本体部と、  前記本体部と一体に設けられた、電力を超音波に変換し、前記本体部を前記手首または腕に装着したときに手が位置することとなる方向に出力する送電用トランデューサとを有することを特徴とする付け爪システム。
【請求項１０】
付け爪と、送電装置とを備えた付け爪システムであって、  前記付け爪は、  ディスプレイと、  前記付け爪の装着時に人体に接する受電電極と、  当該電極に流れる電流による電力を用いて前記ディスプレイに画像を表示する表示手段とを有し、  前記送電装置は、  人体に装着可能な本体部と、  前記本体部と一体に設けられた、前記本体部が装着された人体に接する送電電極と、  前記本体部と一体に設けられた、前記送電電極から人体に電流を流す送電手段とを有することを特徴とする付け爪システム。
【請求項１１】
付け爪と、送電装置とを備えた付け爪システムであって、  前記付け爪は、  ディスプレイと、  前記付け爪の装着時に人体から容量結合を介して検出した交流の電位信号を変換して得られる電力を用いて前記ディスプレイに画像を表示する表示手段とを有し、  前記送電装置は、  人体に装着可能な本体部と、  前記本体部と一体に設けられた、前記本体部が装着された人体に容量結合を介して交流の電位信号を印加する送電手段とを有することを特徴とする付け爪システム。
【発明の詳細な説明】
【技術分野】
【０００１】  本発明は、表示装置を備えた付け爪に関するものである。
【背景技術】
【０００２】   表示装置を備えた付け爪としては、液晶表示装置を内蔵した付け爪（たとえば、特許文献１）や、電子ペーパを内蔵した付け爪（たとえば、特許文献２）が知られている。  また、このような付け爪において表示装置の表示を行う技術としては、内蔵した太陽電池で発電した電力を用いて表示装置に動画を表示する技術（特許文献１）や、ブレスレットと一体的に形成されたデータ転送装置から近距離無線通信を介して供給される電力を用いて当該近距離無線通信を介して転送された画像を表示装置に表示する技術（特許文献２）等が知られている。
【先行技術文献】
【特許文献】
【０００３】
【特許文献１】特開２００６-２６２９８２号公報
【特許文献２】特開２０１６-  ８３０６８号公報
【発明の概要】
【発明が解決しようとする課題】
【０００４】  表示装置を備えた付け爪によって動画やスライドショーなどの表示内容が変化する表示を常に行う場合、表示装置を駆動するための電力を付け爪において常時確保する必要がある。【０００５】  しかし、この電力を、上述のように付け爪に内蔵した太陽電池によってまかなうことは、太陽電池のサイズが付け爪のサイズに限定されることより困難である。  一方、この電力を、ブレスレットと一体的に形成されたデータ転送装置から近距離無線通信を介して付け爪に供給する場合には、ブレスレットと付け爪とが近接していないため電波によるワイヤレス電力伝送を行うこととなるが、無指向性の通信電波によって効率的に大きな電力を伝送することはできないため、付け爪に充分な電力を提供することは容易ではない。【０００６】  そこで、本発明は、表示装置を備えた付け爪において、より大きな電力を継続的に確保できるようにして、付け爪において表示内容が変化する表示をより継続的に行えるようにすることを課題とする。
【課題を解決するための手段】
【０００７】  前記課題達成のために、本発明は、付け爪と、送電装置とを備えた付け爪システムを提供する。ここで、前記付け爪は、ディスプレイと、ワイヤレス電力伝送によって前記送電装置から電力を受電する受電手段と、前記受電手段で受信した電力を用いて前記ディスプレイに画像を表示する表示手段と備えたものである。また、前記送電装置は、手首または腕に装着可能な本体部と、前記本体部の外周面に配置された太陽電池と、前記太陽電池で発電された電力を、ワイヤレス電力伝送によって前記付け爪に送電する送電手段とを備えたものである。【０００８】  また、本発明は、前記課題達成のために、付け爪と、送電装置とを備えた付け爪システムにおいて、前記付け爪に、ディスプレイと、ワイヤレス電力伝送によって前記送電装置から電力を受電する受電手段と、前記受電手段で受信した電力を用いて前記ディスプレイに画像を表示する表示手段とを備え、前記送電装置に、手首または腕に装着可能な本体部と、前記本体部に収容された生体発電装置と、前記生体発電装置で発電された電力を、ワイヤレス電力伝送によって前記付け爪に送電する送電手段とを備えたものである。ここで、前記生体発電装置としては、たとえば、体温と外気温の温度差を電力に変換する体温発電装置等を用いることができる。【０００９】  ここで、以上のような付け爪システムにおいては、前記付け爪の受電手段を、磁界共鳴方式のワイヤレス電力伝送によって前記送電装置から電力を受電する受電用コイルを含むものとし、前記送電装置の本体部を、環状の形状とし、前記送電装置の送電手段を、前記本体部と一体に設けられた、磁界共鳴方式のワイヤレス電力伝送によって前記付け爪に電力を送電する送電用コイルを含むものとしてもよい。ただし、前記受電用コイルと送電用コイルの共振周波数は等しくし、前記送電用コイルは、前記環状の本体部と同軸状に巻き回されたコイルとする。【００１０】  または、以上の付け爪システムは、前記付け爪の受電手段を、超音波を電力に変換する受電用トランデューサを含むものとし、前記送電装置の送電手段を、前記本体部と一体に設けられた、電力を超音波に変換し、前記本体部を前記手首または腕に装着したときに手が位置することとなる方向に出力する送電用トランデューサを含むものとしてもよい。【００１１】  または、以上の付け爪システムは、前記付け爪の受電手段を、前記付け爪の装着時に人体に接する受電電極を備えると共に、当該電極に流れる電流による電力を受電するものとし、前記送電装置の送電手段を、前記本体部が装着された人体に接する送電電極を備えると共に、前記送電電極から人体に電流を流す電流出力手段とを備えたものとしてもよい。【００１２】  または、以上の付け爪システムは、前記付け爪の受電手段を、前記付け爪の装着時に人体から容量結合を介して検出した交流の電位信号を変換して得られる電力を受電するものとし、前記送電装置の送電手段を、前記本体部が装着された人体に容量結合を介して交流の電位信号を印加するものとしてもよい。【００１３】  また、前記課題達成のために、併せて、本発明は、付け爪と、送電装置とを備えた付け爪システムにおいて、前記付け爪に、ディスプレイと、磁界共鳴方式のワイ���レス電力伝送によって前記送電装置から電力を受電する受電用コイルと、前記受電用コイルで受信した電力を蓄積するバッテリと、前記バッテリに蓄積された電力を用いて前記ディスプレイに画像を表示する表示手段とを設け、前記送電装置に、手首または腕に装着可能な環状の本体部と、前記本体部と一体に設けられた、磁界共鳴方式のワイヤレス電力伝送によって前記付け爪に電力を送電する送電用コイルとを設けたものである。ただし、前記受電用コイルと送電用コイルの共振周波数は等しく、前記送電用コイルは、前記環状の本体部と同軸状に巻き回されたコイルである。【００１４】  また、前記課題達成のために、併せて、本発明は、付け爪と、送電装置とを備えた付け爪システムにおいて、前記付け爪に、ディスプレイと、超音波を電力に変換する受電用トランデューサと、前記受電用トランデューサが変換した電力を蓄積するバッテリと、前記バッテリに蓄積された電力を用いて前記ディスプレイに画像を表示する表示手段とを設け、前記送電装置に、手首または腕に装着可能な本体部と、前記本体部と一体に設けられた、電力を超音波に変換し、前記本体部を前記手首または腕に装着したときに手が位置することとなる方向に出力する送電用トランデューサとを設けたものである。【００１５】  また、前記課題達成のために、本発明は、付け爪と、送電装置とを備えた付け爪システムにおいて、前記付け爪に、ディスプレイと、前記付け爪の装着時に人体に接する受電電極と、  当該電極に流れる電流を介して受電した電力を用いて前記ディスプレイに画像を表示する表示手段とを設け、前記送電装置に、人体に装着可能な本体部と、前記本体部と一体に設けられた、前記本体部が装着された人体に接する送電電極と、前記本体部と一体に設けられた、前記送電電極から人体に電流を流す送電手段とを備えたものである。【００１６】  または、前記課題達成のために、本発明は、付け爪と、送電装置とを備えた付け爪システムにおいて、前記付け爪に、ディスプレイと、前記付け爪の装着時に人体から容量結合を介して検出した交流の電位信号を変換して得られる電力を用いて前記ディスプレイに画像を表示する表示手段とを設け、前記送電装置に、人体に装着可能な本体部と、前記本体部と一体に設けられた、前記本体部が装着された人体に容量結合を介して交流の電位信号を印加する送電手段とを設けたものである。【００１７】  以上のような付け爪システムによれば、付け爪に比べ大幅にスペースの余裕のある送電装置において発電を行うことにより、付け爪において発電を行う場合よりも大きな電力を生成することができるようになる。また、送電装置からの磁界共鳴方式や超音波方式のワイヤレス電力伝送の送電を、付け爪方向に指向性を持たせて行うことにより効率的に、または、人体を介して電力をワイヤレス電力伝送することにより効率的かつ安定的に、送電装置から付け爪に電力を供給することができるようになる。【００１８】  よって、以上のような付け爪システムによれば、付け爪において、より大きい電力を継続的に使用することができるようになる。
【発明の効果】
【００１９】  以上のように、本発明によれば、表示装置を備えた付け爪においてより大きな電力を継続的に確保できるようにして、付け爪において表示内容が変化する表示をより継続的に行えるようになる。
【図面の簡単な説明】
【００２０】
【図１】本発明の実施形態に係る付け爪システムの電気系の構成を示すブロック図である。
【図２】本発明の実施形態に係る付け爪の構造例を示す図である。
【図３】本発明の実施形態に係る付け爪の構造例を示す図である。
【図４】本発明の実施形態に係る付け爪の構造例を示す図である。
【図５】本発明の実施形態に係る送電装置の構造を示す図である。
【図６】本発明の実施形態に係る送電装置の構造を示す図である。
【図７】本発明の実施形態に係る送電装置の構造を示す図である。
【図８】本発明の実施形態に係る付け爪の表示例を示す図である。
【発明を実施するための形態】
【００２１】  以下、本発明の実施形態について説明する。  本実施形態に係る付け爪はブレスレット型の送電装置と共に使用することができる付け爪であって、送電装置からワイヤレス電力伝送によって給電された電力を用いて動画やスライドショーなどの表示内容が変化する表示を行う。
【００２２】  図１に、このような付け爪１と送電装置２の電気系の構成を示す。  図示するように、付け爪１の電気系は、フレキシブルディスプレイ１１、フレキシブルディスプレイ１１の表示を制御するコントローラ１２、コントローラ１２の動作電力を供給するバッテリ１３、送電装置２から送電される電力を受電する受電素子１４、受電素子１４が受電した電力を整流しバッテリ１３に充電する充電回路１５を備えている。
【００２３】  ここで、フレキシブルディスプレイ１１とは可撓性ある変形可能なディスプレイであり、フレキシブルディスプレイ１１としては、フレキシブル基板を用いて形成された液晶ディスプレイや有機ELディスプレイや電子ペーパなどを用いることができる。
【００２４】  また、コントローラ１２は、動画データや複数の静止画のデータを格納したメモリ１２１、フレキシブルディスプレイ１１を駆動するドライバ１２２、ドライバ１２２を介してメモリ１２１にデータが格納された動画のフレキシブルディスプレイ１１への表示やメモリ１２１にデータが格納された複数の静止画のフレキシブルディスプレイ１１へのスライドショー表示を行う表示コントローラ１２３、以上各部を制御する制御部１２４を備えている。
【００２５】  次に、送電装置２は、発電装置２１、発電装置２１で発電した電力を充電する蓄電池２２、電力をワイヤレス電力伝送により送電する送電素子２３、蓄電池２２に充電された電力で送電素子２３を駆動する駆動回路２４とを備えている。
【００２６】  さて、このような構成において、送電装置２と付け爪１の間のワイヤレス電力伝送の方式としては、磁界共鳴方式、超音波方式、人体電流方式、人体電界方式などを用いることができる。
【００２７】  また、送電装置２における発電装置２１としては、太陽電池や各種生体発電装置等を用いることができる。  さて、次に、付け爪１の構造について説明する。  図２は、送電装置２と付け爪１の間のワイヤレス電力伝送の方式として磁界共鳴方式を採用した場合における付け爪１の構造を示したものである。  図２ａは付け爪１の上面を、図２ｂは付け爪１を斜視したようすを、図２ｃは付け爪１の分解図を、図２ｄは図２ａの断面線Ａ-Ａによる断面端部を表している。  図示するように、付け爪１は、爪形状に加工した透明な本体部１０１と、本体部１０１の裏面に沿う形状に加工したフレキシブルディスプレイ１１と、上面にコントローラ１２やバッテリ１３や充電回路１５を搭載した下部シート１０２とを積層した形態で接着等により固定することにより、フレキシブルディスプレイ１１とコントローラ１２とバッテリ１３と充電回路１５とを、本体部１０１と下部シート１０２との間に封止したものである。
【００２８】  ここで、図２ｅに本体部１０１の裏面のようすを示すように、本体部１０１の裏面には、受電素子１４として薄膜によるコイル１４１が形成されており、コイル１４１も本体部１０１と下部シート１０２との間に封止されている。そして、この受電素子１４として備えたコイル１４１の共振周波数が、ワイヤレス電力伝送の方式として磁界共鳴方式を採用した場合に送電装置２に送電素子２３として備えるコイルの共振周波数と等しくなるように、当該コイル１４１には適当なキャパシタンスが付与されている。
【００２９】  なお、ワイヤレス電力伝送の方式として磁界共鳴方式を採用した場合、付け爪１の充電回路１５は、コイル１４１に共振周波数で誘起される交流信号を整流してバッテリ１３に充電する。
【００３０】  次に、図３は、送電装置２と付け爪１の間のワイヤレス電力伝送の方式として超音波方式を採用した場合における付け爪１の構造を示したものである。  図３ａは付け爪１の上面を、図３ｂは付け爪１を斜視したようすを、図３ｃは付け爪１の分解図を、図３ｄは図３ａの断面線Ａ-Ａによる断面端部を表している。  図示するように、付け爪１は、爪形状に加工した透明な本体部１０１と、フレキシブルディスプレイ１１と、上面に受電素子１４やコントローラ１２やバッテリ１３や充電回路１５を搭載した下部シート１０２とを積層した形態で接着等により固定することにより、フレキシブルディスプレイ１１とコントローラ１２とバッテリ１３と受電素子１４と充電回路１５とを、本体部１０１と下部シート１０２との間に封止したものである。
【００３１】  ここで、ワイヤレス電力伝送の方式として超音波方式を採用する場合、受電素子１４としては、たとえば、超音波で振動する圧電素子を用いたトランデューサ１４２を備えるようにする。なお、このようにワイヤレス電力伝送の方式として超音波方式を採用する場合、付け爪１の充電回路１５は、トランデューサ１４２が超音波を変換した交流信号を整流してバッテリ１３に充電する。
【００３２】  なお、ワイヤレス電力伝送の方式として超音波方式を採用した場合に送電装置２の送電素子２３から出力される超音波がトランデューサ１４２に直接作用するように、トランデューサ１４２の受音面を上方とすると共に、本体部１０１のトランデューサ１４２の上方となる領域に複数の孔１０１１を設けるようにしてもよい。
【００３３】  次に、図４ａは、送電装置２と付け爪１の間のワイヤレス電力伝送の方式として人体電流方式を採用した場合における付け爪１の構造を示したものである。  ここで、人体電流方式とは人体の表面に流れる電流を介して電力を伝送する方式を指すものとする。なお、人体の表面を介して電流を送受する技術は、電流方式の人体通信の技術等において従前より用いられている技術である。
【００３４】  さて、図４ａ１は付け爪１の分解図を、図４ａ２は付け爪１の断面端部を表している。  図示するように、付け爪１は、爪形状に加工した透明な本体部１０１と、フレキシブルディスプレイ１１と、受電素子１４やコントローラ１２やバッテリ１３や充電回路１５を搭載した下部シート１０２とを積層した形態で接着等により固定することにより、フレキシブルディスプレイ１１とコントローラ１２とバッテリ１３と受電素子１４と充電回路１５とを、本体部１０１と下部シート１０２との間に封止したものである。
【００３５】  また、図示するように、ワイヤレス電力伝送の方式として人体電流方式を採用する場合、受電素子１４としては、正電極１４３１と負電極１４３２とを設ける。ここで、正電極１４３１と負電極１４３２とは、付け爪１の裏面に露出しており、付け爪１を爪に装着したときに爪に接触する。ただし、負電極１４３２が正電極１４３１よりも指先側で爪に接触するように正電極１４３１と負電極１４３２は配置する。
【００３６】  また、ワイヤレス電力伝送の方式として人体電流方式を採用する場合、付け爪１の充電回路１５は、正電極１４３１と負電極１４３２との間を流れる交流電流を整流しバッテリ１３に充電する。
【００３７】  次に、図４ｂは、送電装置２と付け爪１の間のワイヤレス電力伝送の方式として人体電界方式を採用した場合における付け爪１の構造を示したものである。  ここで、人体電界方式とは人体の表面近傍の近接場電界を介して送受する交流電圧信号を介して電力を伝送する方式を指すものとする。なお、人体の表面近傍の近接場電界を介して交流電圧信号を送受する技術は、電界方式の人体通信の技術等において従前より用いられている技術である。
【００３８】  さて、図４ｂ１は付け爪１の分解図を、図４ｂ２は付け爪１の断面端部を表している。  図示するように、付け爪１は、爪形状に加工した透明な本体部１０１と、フレキシブルディスプレイ１１と、受電素子１４やコントローラ１２やバッテリ１３や充電回路１５を搭載した下部シート１０２とを積層した形態で接着等により固定することにより、フレキシブルディスプレイ１１とコントローラ１２とバッテリ１３と受電素子１４と充電回路１５とを、本体部１０１と下部シート１０２との間に封止したものである。
【００３９】  また、図示するように、ワイヤレス電力伝送の方式として人体電界方式を採用する場合、受電素子１４としては、電極１４４とを設ける。ここで、電極１４４は、付け爪１の裏面に露出しておらず、下部シート１０２によって絶縁されている。そして、電極１４４は、付け爪１を爪に装着したときに爪と容量結合する。
【００４０】  また、ワイヤレス電力伝送の方式として人体電界方式を採用する場合、付け爪１の充電回路１５は、電極１４４の交流の電位変動による交流電圧信号を整流してバッテリ１３に充電する。
【００４１】  以下、送電装置２の構造について説明する。  図５ａは、送電装置２と付け爪１の間のワイヤレス電力伝送の方式として磁界共鳴方式を採用した場合における送電装置２の構造を示したものであり、図５ａ１は送電装置２の上面を、図５ａ２は送電装置２の正面を、図５ａ３は送電装置２の側面を表している。
【００４２】  図示するように、送電装置２は、ブレスレットとしての形状を備えた環状体２０１の内部に、発電装置２１や蓄電池２２や送電素子２３や駆動回路２４を埋め込んだ装置である。なお、図５ａ１-ａ３では発電装置２１の図示を省略している。
【００４３】  ここで、ワイヤレス電力伝送の方式として磁界共鳴方式を採用した場合は、送電素子２３としては、環状体２０１の環と同軸状に巻き回したコイル２３１を用いる。また、この送電素子２３として備えたコイル２３１の共振周波数が、付け爪１に受電素子１４として備えたコイル１４１の共振周波数と等しくなるように、当該コイル２３１には適当なキャパシタンスを付与する。そして、送電装置２の駆動回路２４において、コイル２３１を共振周波数で駆動する。
【００４４】  ここで、このようにコイル２３１を送電素子２３として環状体２０１の環と同軸状に設けることにより、図５ａ４に示すように、送電装置２をブレスレットとして手首に装着し指を自然に曲げた姿勢にあるときに、送電素子２３として備えたコイル２３１と付け爪１に受電素子１４として備えたコイル１４１とを対向させ、効率的に電力を送電装置２から付け爪１に伝送することができるようになる。
【００４５】  次に、図５ｂは、送電装置２と付け爪１の間のワイヤレス電力伝送の方式として超音波方式を採用した場合における送電装置２の構造を示したものである。図５ｂ１は送電装置２の上面を、図５ｂ２は送電装置２の正面を、図５ｂ３は送電装置２の側面を表している。
【００４６】  図示するように、送電装置２は、ブレスレットの形状を備えた環状体２０１の内部に、発電装置２１や蓄電池２２や駆動回路２４や送電素子２３を埋め込んだ装置である。なお、図５ｂ１-ｂ３でも発電装置２１の図示を省略している。
【００４７】  ここで、ワイヤレス電力伝送の方式として超音波方式を採用した場合は、送電素子２３として、たとえば、圧電素子を用いて構成した、送電装置２の正面方向（環状体２０１の側面方向であって、送電装置２をブレスレットとして手首に装着したときの手の方向）に超音波を出射するトランデューサ２３２を用いる。また、このトランデューサ２３２を出音部を露出させる開口２０１２を環状体２０１に設けるようにする。そして、送電装置２の駆動回路２４において、トランデューサ２３２を交流信号で駆動し超音波を出射させる。
【００４８】  ここで、このようにトランデューサ２３２を送電素子２３として設けることにより、図５ｂ４に矢印で示すように、送電装置２をブレスレットとして手首に装着したときに、付け爪１の方向に超音波を出射されるようになるので、効率的に電力を送電装置２から付け爪１に伝送することができるようになる。
【００４９】  次に、図６ａは、送電装置２と付け爪１の間のワイヤレス電力伝送の方式として人体電流方式を採用した場合における送電装置２の構造を示したものである。図６ａ１は送電装置２の上面を、図６ａ２は送電装置２の正面を、図６ａ３は送電装置２の側面を表している。
【００５０】  図示するように、送電装置２は、ブレスレットの形状を備えた環状体２０１の内部に、発電装置２１や蓄電池２２や駆動回路２４や送電素子２３を埋め込んだ装置である。なお、図６ａ１-ａ３でも発電装置２１の図示を省略している。
【００５１】  ここで、ワイヤレス電力伝送の方式として人体電流方式を採用した場合は、送電素子２３として、正電極２３３１と負電極２３３２を設ける。ここで、正電極２３３１と負電極２３３２は、図６ａ４に示すように、送電装置２をブレスレットとして手首に装着したときに、手首に接触するように環状体２０１の内周面に露出させて設ける。また、送電装置２をブレスレットとして手首に装着したときに、正電極２３３１が負電極２３３２よりも手に近い位置となるように正電極２３３１と負電極２３３２は配置する。
【００５２】  そして、送電装置２の駆動回路２４は、負電極２３３２をグランド電位として生成した交流信号を正電極２３３１に印加する。  これにより、電流が送電装置２の正電極２３３１、付け爪１の正電極１４３１、付け爪１の負電極１４３２、電流が送電装置２の負電極２３３２と流れるようになる。なお、付け爪１の負電極１４３２と電流が送電装置２の負電極２３３２の間は、大地との間の容量結合を介して電流が流れることが期待できる。
【００５３】  次に、図６ｂは、送電装置２と付け爪１の間のワイヤレス電力伝送の方式として人体電界方式を採用した場合における送電装置２の構造を示したものである。図６ｂ１は送電装置２の上面を、図６ｂ２は送電装置２の正面を、図６ｂ３は送電装置２の側面を表している。
【００５４】  図示するように、送電装置２は、ブレスレットの形状を備えた環状体２０１の内部に、発電装置２１や蓄電池２２や駆動回路２４や送電素子２３を埋め込んだ装置である。なお、図６ｂ１-ｂ３でも発電装置２１の図示を省略している。
【００５５】  ここで、ワイヤレス電力伝送の方式として人体電界方式を採用した場合は、送電素子２３として、電極２３４を設ける。ここで、電極２３４は外部に対して絶縁されており、図６ｂ４に示すように、送電装置２をブレスレットとして手首に装着したときに、手首に近接して人体と容量結合するように配置されている。そして、送電装置２の駆動回路２４は電極２３４に交流信号を印加する。
【００５６】  これにより、電極２３４と容量結合している人体の近接場電界が振動し、人体に容量結合している付け爪１の電極１４４の電位も変動する  次に、送電装置２に備える発電装置２１について説明する。
【００５７】  上述のように発電装置２１としては、太陽電池や各種生体発電装置等を用いることができる。  図７ａは、発電装置２１として太陽電池２１１を備えた場合の、送電装置２への発電装置２１の組み込みの構造を示したものである。図７ａ１は送電装置２の上面を、図７ａ２は送電装置２の正面を、図７ａ３は送電装置２の側面を表している。
【００５８】  図示するように、発電装置２１として太陽電池２１１を備える場合には、送電装置２の環状体２０１の外周面を覆うように太陽電池２１１を配置するようにする。このようにすることにより、付け爪１に太陽電池２１１を設ける場合に比べ受光面を大幅に拡大して、より大きな電力の発電を行うこができるようになる。
【００５９】  次に、図７ｂは、発電装置２１として生体発電装置の一つである体温発電装置を備えた場合の、送電装置２への発電装置２１の組み込みの構造を示したものである。ここで、図７ｂ１は送電装置２の上面を、図７ｂ２は送電装置２の正面を、図７ｂ３は送電装置２の側面を、図７ｂ４は図７ａの断面線Ａ-Ａによる断面を表している。
【００６０】  図示すようにこの場合、環状体２０１の外周面を熱伝導性に優れたシート２１２で覆い、環状体２０１の内周面を熱伝導性に優れたシート２１３で覆う。そして、シート２１２、２１３の間に、ゼーベック効果で発電を行うペルチェ素子２１４を複数、ペルチェ素子２１４のコールドサイドを外周面のシート２１２に熱伝導性の接着材で接着し、ペルチェ素子２１４のホットサイドを内周面のシート２１３に熱伝導性の接着材で接着した形態で配置する。
【００６１】  このようにペルチェ素子２１４を複数配置することにより、送電装置２をブレスレットとして手首に装着したときに、人体と接触する環状体２０１の内周面からペルチェ素子２１４のホットサイドに体温を効率良く伝導させると共に、ペルチェ素子２１４のコールドサイドの熱を環状体２０１の外周面から効率良く放熱させることができるようになり、より多くの電力を発電できるようになる。
【００６２】  ところで、生体発電装置としては体温発電装置の他にも種々の発電装置２１があり、送電装置２には任意の生体発電装置を備えるようにしてよい。  たとえば、図７ｃに示すように、送電装置２を二つの環状体２０１ａ、２０１ｂから構成すると共に、二つの環状体２０１を圧電素子を搭載した可撓性あるフィルム２１５で連結し、ユーザの運動に伴う二つの環状体２０１ａ、２０１ｂの相対移動によってフィルム２１５に加わった力を圧電素子において電力に変換する生体発電装置などを送電装置２に備えるようにしてもよい。
【００６３】  以上のように、本実施形態によれば、送電装置２から付け爪１に継続的に電力を給電することができる。そして、付け爪１において、継続的に送電装置２から給電された電力をバッテリ１３に充電すると共に充電した電力を用いて、たとえば、図８ａ、ｂ、ｃに示すように、フレキシブルディスプレイ１１に、動画の表示や複数の静止画のスライドショー表示などの表示内容が変化する表示を行うことができる。
【００６４】  以上、本発明の実施形態について説明した。  説明してきたように本実施形態によれば、付け爪１に比べ大幅にスペースの余裕のある送電装置２において発電を行うことにより、付け爪１において発電を行う場合よりも大きな電力を生成することができる。また、送電装置２からの磁界共鳴方式や超音波方式のワイヤレス電力伝送の送電を、付け爪１方向に指向性を持たせて行うことによりにより効率的に、または、人体を介して電力をワイヤレス電力伝送することにより効率的かつ安定的に、送電装置２から付け爪１に電力供給することができるようになる。
【００６５】  よって、本実施形態によれば、付け爪１においてより大きい電力を継続的に使用することができるようになるので、付け爪１において動画表示やスライドショー表示などの表示内容が変化する表示をより継続的に行えるようになる。
【００６６】  ところで、以上の実施形態では送電装置２に発電装置２１を備えたが、これは発電装置２１に代えてボタン電池などの一次電池または充電済みの二次電池を送電装置２に備えるようにしてもよい。
【００６７】  また、以上の実施形態において、送電装置２と付け爪１の間で通信を行う構成を加え、付け爪１のメモリ１２１の動画や静止画のデータを送電装置２から書き換えられるようにしてもよい。
【００６８】  また、以上の実施形態においてフレキシブルディスプレイ１１は、給電がないときでも表示内容を保持できる電子ペーパであることが好ましい。電子ペーパを用いることにより、送電装置２から付け爪１に充分な電力を供給できない期間中も、付け爪１における画像の表示を維持できるようになる。
【符号の説明】
【００６９】  １…付け爪、２…送電装置、１１…フレキシブルディスプレイ、１２…コントローラ、１３…バッテリ、１４…受電素子、１５…充電回路、２１…発電装置、２２…蓄電池、２３…送電素子、２４…駆動回路、１０１…本体部、１０２…下部シート、１２１…メモリ、１２２…ドライバ、１２３…表示コントローラ、１２４…制御部、２０１…環状体、２１１…太陽電池、２１４…ペルチェ素子、１０１１…孔、２０１２…開口。
【図１】
2018043158.tif 000003
【図２】
2018043158.tif 000004
【図３】
2018043158.tif 000005
【図４】
2018043158.tif 000006
【図５】
2018043158.tif 000007
【図６】
2018043158.tif 000008
【図７】
2018043158.tif 000009
【図８】
2018043158.tif 000010
【国際調査報告】
2018043158.tif 000011
2018043158.tif 000012
2018043158.tif 000013
2018043158.tif 000014